(57)【要約】【課題】本考案は、カード本体を簡便に切り離して使用することができる上、カード本体の製造材料が浪費されることを防いでコストを節減し、収納空間を低減させることができるＳＩＭカード構造を提供する。【解決手段】本考案に係るＳＩＭカード構造は、キャリアプレート１および多数のチップ２を備える。キャリアプレート１は、その略中央箇所に、少なくとも２本の第１のカット線１１が互いに平行に設けられ、各第１のカット線１１には、等距離で配置されてキャリアプレート１の一側に向かって延伸された多数の第２のカット線１２がそれぞれ接続され、各第１のカット線１１および各第２のカット線１２は、それぞれ多数のカード本体１３を画定し、各カード本体１３上にはそれぞれ収納部１３１が設けられ、多数のチップ２は、各カード本体１３の収納部１３１中にそれぞれ配置される。【選択図】図３
0003146149.tif 000002
【実用新案登録請求の範囲】
【請求項１】
キャリアプレートおよび多数のチップを備えたＳＩＭカード構造であって、
前記キャリアプレートは、その略中央箇所に、少なくとも２本の第１のカット線が互いに平行に設けられ、各前記第１のカット線には、等距離で配置されて前記キャリアプレートの一側に向かって延伸された多数の第２のカット線がそれぞれ接続され、各前記第１のカット線および各前記第２のカット線は、それぞれ多数のカード本体を画定し、各前記カード本体上にはそれぞれ収納部が設けられ、
前記多数のチップは、各前記カード本体の前記収納部中にそれぞれ配置されることを特徴とするＳＩＭカード構造。
【考案の詳細な説明】
【技術分野】
【０００１】
本考案は、ＳＩＭカード構造に関し、特に、第１のカット線および第２のカット線を利用し、キャリアプレート上に多数のカード本体が配置されているため、カード本体を簡便に切り離して使用することができる上、カード本体の製造材料が浪費されることを防いでコストを節減し、収納空間を低減させることが可能なＳＩＭカード構造に関する。
【背景技術】
【０００２】
一般に、従来のＳＩＭカード構造（図１に示す）は、カード本体３と、延伸部４１およびカット線４２により設けられたカード本体３上のＳＩＭカード４とを含む。これにより、ＳＩＭカード４に力を加えて、延伸部４１およびカット線４２からＳＩＭカード４を分離させ、カード本体３上からＳＩＭカード４を切り離して使用することができる。
【０００３】
カード本体３上にはＳＩＭカード４だけが配置されているため、ＳＩＭカード４を切り離して使用した場合、カード本体３の材料が浪費され、製造コストが無駄に浪費されることがあった。また、各カード本体３を積層させて収納するときは（図２に示す）、各カード本体３がＳＩＭカード４だけを有していたため、大きな収納空間が必要となった。
【考案の開示】
【考案が解決しようとする課題】
【０００４】
本考案は、上記に鑑みてなされたものであって、第１のカット線および第２のカット線を利用してキャリアプレート上に同時に多数のカード本体が配置されているため、カード本体を簡便に切り離して使用することができる上、カード本体の製造材料が浪費されることを防いでコストを節減し、収納空間を低減させることが可能なＳＩＭカード構造を提供することを目的とする。
【課題を解決するための手段】
【０００５】
上記課題を解決するために、本考案に係るＳＩＭカード構造は、キャリアプレートおよび多数のチップを備えたＳＩＭカード構造であって、前記キャリアプレートは、その略中央箇所に、少なくとも２本の第１のカット線が互いに平行に設けられ、各前記第１のカット線には、等距離で配置されて前記キャリアプレートの一側に向かって延伸された多数の第２のカット線がそれぞれ接続され、各前記第１のカット線および各前記第２のカット線は、それぞれ多数のカード本体を画定し、各前記カード本体上にはそれぞれ収納部が設けられ、前記多数のチップは、各前記カード本体の前記収納部中にそれぞれ配置されることを特徴とする。
【考案の効果】
【０００６】
以上のように、本考案に係るＳＩＭカード構造は、第１のカット線および第２のカット線を利用してキャリアプレート上に同時に多数のカード本体を配置し、カード本体を簡便に切り離して使用することができる上、カード本体の製造材料が浪費されることを防いでコストを節減し、収納空間を低減させることができる。
【考案を実施するための最良の形態】
【０００７】
本考案を実施するための形態を図３〜図８を用いて説明する。
【０００８】
（第１実施形態）
図３および図４を参照する。図３および図４に示すように、本考案の第１実施形態にかかるＳＩＭカード構造は、キャリアプレート１および多数のチップ２を含む。
【０００９】
キャリアプレート１の略中央箇所には、少なくとも２本の第１のカット線１１が互いに平行に設けられている。各第１のカット線１１には、等距離で配置されてキャリアプレート１の一側に向かって延伸された多数の第２のカット線１２がそれぞれ接続され、各第１のカット線１１および第２のカット線１２は、それぞれ多数のカード本体１３を画定し、各カード本体１３上には収納部１３１がそれぞれ設けられている。各チップ２は、上述の各カード本体１３の収納部１３１中にそれぞれ配置され、各カード本体１３とチップ２とによりＳＩＭカードが構成されている。
【００１０】
図５および図６を参照する。図５および図６に示すように、本考案の第１実施形態によるＳＩＭカード構造を収納するときは、多数のキャリアプレート１を積層させ、各キャリアプレート１上に多数のチップ２を有するカード本体１３を配置させることが可能である。第１実施形態によるＳＩＭカード構造は、積層収納することが可能なため、従来よりも数倍の数を収納することができる上、収納空間を低減させることもできる。
【００１１】
本考案の第１実施形態では、キャリアプレート１と使用するカード本体１３とを手で持って同じ方向または反対の方向に力を加え、キャリアプレート１とカード本体１３との間に設けられた第１のカット線１１および第２のカット線１２を利用して分離させると、チップ２が設けられたカード本体１３（即ち、ＳＩＭカード）を直接使用することができる。そして、キャリアプレート１からまだ切り離されていないカード本体１３を収納することができる。
【００１２】
（第２、３実施形態）
図７および図８を参照する。図７および図８に示すように、第２実施形態および第３実施形態の構造は、第１実施形態の構造と略同じであるが、使用上の必要に応じ、図７に示すように、互いに平行な２本の第１のカット線１１ａをキャリアプレート１ａ上にずらした状態で設けたり、図８に示すように、キャリアプレート１ｂ上に適当な長さで２組の互いに対応した第１のカット線１１ｂを設け、キャリアプレート１ｂの２つの端部それぞれに多数のカード本体１３の領域が形成されている点が異なる。
【００１３】
上述したことから分かるように、本考案のＳＩＭカード構造は、第１のカット線および第２のカット線を利用し、キャリアプレート上に多数のカード本体を同時に配置し、カード本体を簡便に切り離して使用することができる上、カード本体の製造材料が浪費されることを防いでコストを節減し、収納空間を低減させることができる。そのため、従来技術の欠点を改善させることができる。
【００１４】
なお、本考案は、上記実施の形態に限定されるものではなく、請求項に示した範囲で種々の変更が可能である。すなわち、請求項に示した範囲で適宜変更した技術的手段を組み合わせて得られる実施の形態についても本考案の技術的範囲に含まれる。
【図面の簡単な説明】
【００１５】
【図１】従来のＳＩＭカード構造を示す斜視図である。
【図２】従来のＳＩＭカード構造を収納するときの状態を示す斜視図である。
【図３】本考案の第１実施形態によるＳＩＭカード構造を示す斜視図である。
【図４】本考案の第１実施形態によるＳＩＭカード構造を示す斜視図である。
【図５】本考案の第１実施形態によるＳＩＭカード構造を収納するときの状態を示す斜視図である。
【図６】本考案の第１実施形態によるＳＩＭカード構造を使用するときの状態を示す斜視図である。
【図７】本考案の第２実施形態によるＳＩＭカード構造を示す斜視図である。
【図８】本考案の第３実施形態によるＳＩＭカード構造を示す斜視図である。
【符号の説明】
【００１６】
１        キャリアプレート
１ａ      キャリアプレート
１ｂ      キャリアプレート
１１      第１のカット線
１１ａ    第１のカット線
１１ｂ    第１のカット線
１２      第２のカット線
１３      カード本体
１３ｂ    カード本体
１３１    収納部
２        チップ
３        カード本体
４        ＳＩＭカード
４１      延伸部
４２      カット線
【図１】
0003146149.tif 000003
【図２】
0003146149.tif 000004
【図３】
0003146149.tif 000005
【図４】
0003146149.tif 000006
【図５】
0003146149.tif 000007
【図６】
0003146149.tif 000008
【図７】
0003146149.tif 000009
【図８】
0003146149.tif 000010